(57)【要約】【課題】簡単な構成で携帯性と装着感が良好なネックバンド方式のヘッドホン装置を提供する。【解決手段】左右の耳介に装着されるスピーカユニット１０，２０が両端部に接続されるバンド３０として、装着の際には、左スピーカユニットの前側から後ろ側にかけて上方向に凸となるように湾曲し、右スピーカユニットの前側から後ろ側にかけて上方向に凸となるように湾曲し、左スピーカユニットの後ろ側から右スピーカユニットの後ろ側にかけて装着者の後頭部を回り込むように形成される。【選択図】図１
2011244482.tif 000002
【特許請求の範囲】
【請求項１】
聴取者の左耳の耳介に装着される左側スピーカユニットと、
聴取者の右耳の耳介に装着される右側スピーカユニットと、
上記左スピーカユニットの前側に一端部が取り付けられる左連結部と、
上記右スピーカユニットの前側に一端部が取り付けられる右連結部と、
弾性体で形成され、装着者の後頭部を回り込むようにして上記左連結部の他端部と上記右連結部の他端部とを連結するバンドと、を備え、
上記バンドは、装着の際には、上記左スピーカユニットの前側から後ろ側にかけて上方向に凸となるように湾曲し、上記右スピーカユニットの前側から後ろ側にかけて上方向に凸となるように湾曲し、上記左スピーカユニットの後ろ側から上記右スピーカユニットの後ろ側にかけて装着者の後頭部を回り込むように形成される
ヘッドホン装置。
【請求項２】
上記左スピーカユニットまたは上記右スピーカユニットのうち、いずれか一方のスピーカユニットのみから引き出され、オーディオ信号源と接続する信号線を備えた
請求項１に記載のヘッドホン装置。
【請求項３】
上記信号線は、上記左スピーカユニットまたは上記右スピーカユニットのうち、いずれか一方のスピーカユニットの前側から引き出されるようにした
請求項２に記載のヘッドホン装置。
【請求項４】
上記バンドは、上記弾性体の弾性力により引き伸ばした状態から元の巻回形状に戻る特性を有する
請求項１〜３のいずれか１項に記載のヘッドホン装置。
【請求項５】
非装着の状態で上記２つのスピーカユニットの装着面がほぼ平面的に並ぶ形状とした
請求項１〜４のいずれか１項に記載のヘッドホン装置。
【発明の詳細な説明】
【技術分野】
【０００１】
本発明は、オーディオ信号源などに接続してオーディオ又は音声を聴取するヘッドホン装置に関し、特に非装着時には小さくすることができるヘッドホン装置に関する。
【背景技術】
【０００２】
従来、ヘッドホン装置として、聴取者の左右の耳介から後頭部にかけてバンドが位置するものが実用化されている。このようなヘッドホン装置は、頭の後方で首から若干上の後頭部にバンドが位置するため、ネックバンド方式などと称される。
【０００３】
図１７は、既に商品化されているネックバンド方式のヘッドホン装置の一例を示した斜視図である。このヘッドホン装置は、それぞれに直径cmのドライバユニットが内蔵された左側スピーカユニット１及び右側スピーカユニット２を、ほぼ半円形のバンド３で接続させてある。各スピーカユニット１，２の内側にはイヤーパッドが取付けてあり、スピーカユニットからの音がイヤーパッドを介して装着者（聴取者）の耳に届く。バンド３は合成樹脂，金属などの固い部材で構成されている。この例では左側スピーカユニット１に、ディスク再生装置，テープ再生装置，ラジオ受信機などのオーディオ信号源と接続される信号線４の一端を接続させてある。
【０００４】
各スピーカユニット１，２とバンド３との接続部には、聴取者の左右の耳介の後方に上方から挿入されるフック５，６が取付けてあり、聴取者の左の耳介をスピーカユニット１とフック５で挟み、右の耳介をスピーカユニット２とフック６で挟むようにして装着される。図１９は、このネックバンド方式のヘッドホン装置の装着例を、三面で示した図である。側面図である図１９Ｂや、上面図である図１９Ｃに示すように、バンド３は聴取者の後頭部でほぼ水平に位置するようになっている。
【０００５】
このようにして装着されるネックバンド方式のヘッドホン装置は、バンドが後頭部に位置するため、頭部の上方にバンドが位置する従来のヘッドホン装置に比べて、ヘアスタイルに影響を与えずに装着できる効果があり、装着時の見栄えも良いため、ファッションを気にする人々に受け入れられ、広く普及している。
【０００６】
図１７に示したネックバンド方式のヘッドホン装置は、収納時に折り畳んで小さくすることができる形状としてある。即ちこの例では、バンド３のほぼ中央部と左側部と右側部との３箇所に、蝶番部３ａ，３ｂ，３ｃを設けて回動できる構成としてあり、例えば中央の蝶番部３ａは内側（図１７に示す矢印ａに示す方向）に折り曲げることができ、左右の蝶番部３ｂ，３ｃは下側（図１７に示す矢印ｂ，ｃに示す方向）に折り曲げることができる。このようにしてバンド３を折り曲げることで、例えば図１８に示すように、左右のスピーカユニット１，２が閉じられた状態に折り畳んで小さくすることができる。このように小さく折り畳むことができることで、収納時や携帯時に便利である。
【先行技術文献】
【特許文献】
【０００７】
【特許文献１】実開昭５５−１０９９８７号公報
【発明の概要】
【発明が解決しようとする課題】
【０００８】
ところで、図１７に示したような従来のネックバンド方式のヘッドホン装置は、誰にでも使用できるようにするために、左右のスピーカユニット１，２を接続するバンド３の形状として、頭の大きな人を想定した形状としてある。このため、ほとんどの人が装着した状態では、図１９Ｂ及び図１９Ｃに示すように、後頭部とバンドとの間の隙間ｓが発生していた。このような隙間があると、例えば装着者が椅子や壁にもたれたとき、バンドが前方に押されて、ヘッドホンユニットが耳介からずれたり外れることがあり、好ましくない。バンドのサイズを調整できるようなアジャスト機構を設けることは不可能ではないが、バンドの機構が複雑化してしまい、ヘッドホン装置のデザインの良さが損なわれてしまう。また、アジャスト機構を設けることで、ヘッドホン装置の重量も増大してしまい、好ましくない。
【０００９】
また、上述したような蝶番部３ａ，３ｂ，３ｃを複数箇所設けることで、小さく折り畳めるようにして、携帯性などを向上させてあるが、このような蝶番部を設けると、それだけバンドの構成が複雑化して、ヘッドホン装置の製作コストを上昇させてしまう。特に、図１７の例では、オーディオ信号源と接続される信号線４を、一方のスピーカユニット１だけから引き出したいわゆる片出しタイプとしてあるが、この場合にはバンド３の内部に、反対側のスピーカユニット２と信号線４とを接続させる信号線を通す必要がある。従って、それぞれの蝶番部３ａ，３ｂ，３ｃで信号線を通しながら折り曲げることができる形状とする必要があり、非常に複雑な機構になってしまう。
【００１０】
本発明はこのような状況に鑑みてなされたものであり、ネックバンド方式のヘッドホン装置として、簡単な構成で携帯性と装着感が良好なものを提供することを目的とする。
【課題を解決するための手段】
【００１１】
本発明は、聴取者の左耳の耳介に装着される左側スピーカユニットと、聴取者の右耳の耳介に装着される右側スピーカユニットと、上記左スピーカユニットの前側に一端部が取り付けられる左連結部と、上記右スピーカユニットの前側に一端部が取り付けられる右連結部と、弾性体で形成され、装着者の後頭部を回り込むようにして上記左連結部の他端部と上記右連結部の他端部とを連結するバンドと、上記左スピーカユニットまたは上記右スピーカユニットのうち、いずれか一方のスピーカユニットのみから引き出され、オーディオ信号源と接続する信号線と、を備える。
上記バンドは、装着の際には、上記左スピーカユニットの前側から後ろ側にかけて上方向に凸となるように湾曲し、上記右スピーカユニットの前側から後ろ側にかけて上方向に凸となるように湾曲し、上記左スピーカユニットの後ろ側から上記右スピーカユニットの後ろ側にかけて装着者の後頭部を回り込むように形成される。
【００１２】
かかる本発明のヘッドホン装置によると、収納時にはバンド自身の弾性力で、バンドが円形に巻回されて、小型形状となる。そして装着時には、引き伸ばされたバンドの端部の近傍が、聴取者の耳介の上部又は下部で曲線を形成して通過することで、耳介にスピーカユニットが保持され、バンドのほぼ中央部が聴取者の後頭部を押さえるようになることで、バンド自体も聴取者の頭部にほとんど隙間なく装着される。
【発明の効果】
【００１３】
本発明のヘッドホン装置によると、収納時にはバンド自身の弾性力で、バンドが円形に巻回されて、小型形状となり、収納や携帯に便利な形状になる。そして装着時には、引き伸ばされたバンドの端部の近傍が、聴取者の耳介の上部又は下部で曲線を形成して通過することで、耳介にスピーカユニットが保持され、バンドのほぼ中央部が聴取者の後頭部を押さえるようになることで、バンド自体も聴取者の頭部にほとんど隙間なく装着され、アジャスタ機構などを別途設けることなく、誰が装着しても良好な装着感が得られるようになる。この場合、バンド自体の弾性力で収納時の形状と装着時の形状が定まるため、構成が非常に簡単であり、いわゆるネックバンド方式のヘッドホン装置として、簡単な構成で携帯性と装着感を良好にすることができる。
【００１４】
また、バンドには、一方のスピーカユニットと他方のスピーカユニットとを接続するオーディオ信号線を挿通させ、いずれか一方のスピーカユニットだけからオーディオ信号源と接続する信号線を引き出すようにしたことで、ヘッドホン装置の信号線が一方のスピーカユニットだけから引き出されて、装着時に信号線が邪魔にならなくなる。
【００１５】
また、非装着の状態では、バンドの弾性力により、左側スピーカユニットと右側スピーカユニットとが近接した位置になるようにしたことで、非装着時の形状を非常に小さくすることができる。
【００１６】
また、このように非装着の状態で、左右のスピーカユニットが近接した位置になるようにした場合に、２つのスピーカユニットのオーディオ出力面がほぼ平面的に並ぶ形状としたことで、非装着状態時の形状が突起の少ない平面的な形状になり、収納時や携帯時に取り扱い易い形状とすることができる。
【００１７】
また、バンドを引き伸ばしたとき、それぞれのスピーカユニットとの接続部の近傍のバンド自体が、聴取者の耳介の上部に掛かる曲線形状となることで、バンドだけでスピーカユニットを耳介に保持させることができ、耳介に保持させるための別部材を必要としない簡単な構成にできる。
【００１８】
さらに、それぞれのスピーカユニットとバンドとの接続部の近傍に、聴取者の耳介に掛かる別部材を取付けるようにしたことで、バンドを聴取者の耳介の上部を通さない形状として、装着できるような構成とすることもできる。
【図面の簡単な説明】
【００１９】
【図１】本発明の第１の実施の形態によるヘッドホン装置の例を表面側から見た平面図である。
【図２】本発明の第１の実施の形態によるヘッドホン装置の例をイヤーパッド側から見た平面図である。
【図３】本発明の第１の実施の形態によるヘッドホン装置の接続回路例を示す回路図である。
【図４】本発明の第１の実施の形態によるヘッドホン装置の装着時の持ち方の例を示す斜視図である。
【図５】本発明の第１の実施の形態によるヘッドホン装置を装着のために引き伸ばした例を示す斜視図である。
【図６】本発明の第１の実施の形態によるヘッドホン装置の装着例を示す三面の平面図である。
【図７】本発明の第１の実施の形態によるヘッドホン装置の装着時のスピーカユニットを拡大して示す平面図である。
【図８】本発明の第１の実施の形態によるヘッドホン装置の接続例を示す説明図である。
【図９】本発明の第２の実施の形態によるヘッドホン装置の例を表面側から見た平面図である。
【図１０】本発明の第２の実施の形態によるヘッドホン装置を水平に若干引き伸ばした例を示す平面図である。
【図１１】本発明の第２の実施の形態によるヘッドホン装置を装着のために引き伸ばした例を示す斜視図である。
【図１２】本発明の第３の実施の形態によるヘッドホン装置の例を表面側から見た平面図である。
【図１３】本発明の第３の実施の形態によるヘッドホン装置を装着のために引き伸ばした例を示す斜視図である。
【図１４】本発明の第３の実施の形態によるヘッドホン装置の装着例を示す三面の平面図である。
【図１５】本発明の第１の実施の形態によるヘッドホン装置の変形例の装着例を示す側面図である。
【図１６】本発明の第１の実施の形態によるヘッドホン装置の更に別の変形例の装着例を示す側面図である。
【図１７】従来のネックバンド方式のヘッドホン装置の一例を示した斜視図である。
【図１８】図１７の例のヘッドホン装置を折り畳んだ例を示した斜視図である。
【図１９】図１７の例のヘッドホン装置の装着例を示す三面の平面図である。
【発明を実施するための形態】
【００２０】
以下、本発明の第１の実施の形態を、図１〜図８を参照して説明する。
【００２１】
図１及び図２は、本実施の形態によるヘッドホン装置を平面的に示した図である。これらの図１，図２は、ヘッドホン装置の収納時の形状を示したものであり、図１は表面側（ここでの表面とは音声出力面が裏になった面）の形状を示してあり、図２は音声出力面である裏面側の形状を示してある。図１，図２に示すように、本例のヘッドホン装置は、左側スピーカユニット１０と右側スピーカユニット２０とを、円形に巻回されたバンド３０で接続させた形状としてある。バンド３０は、弾性力を有する部材で構成させてあり、円形に巻回された状態からほぼ直線状に引き伸ばすことができるような材質としてある。
【００２２】
バンド３０の構成としては、例えば弾性力を有する金属の線材と、音声信号を伝送させる信号線とを、柔軟性を有する樹脂チューブに挿通させて構成させる。金属の線材としては、例えば形状記憶合金が使用できる。また、ほぼ直線状に引き伸ばした状態から元の巻回形状に戻ることができる弾性変形が可能なものであれば、形状記憶合金以外の金属線を使用しても良い。また、バンド３０の外側の部材として、樹脂チューブの代わりに、細長く袋状に編み上げた繊維で構成されるものを使用しても良い。
【００２３】
左側スピーカユニット１０には、オーディオ信号源と接続するためのプラグ４１が一端に取付けられた信号線４０の他端（接続部４２）が接続させてある。この信号線４０は、バンド３０内の信号線を介して右側スピーカユニット２０にも接続してある。
【００２４】
各スピーカユニット１０，２０の内部には、音声信号（オーディオ信号）の供給で音声を出力させるドライバが内蔵させてある。内蔵されたドライバは、例えば直径数センチ程度のもの（例えば９mm〜１６mm程度の小径のもの、又は３０mm程度の比較的大型のもの）である。プラグ４１をオーディオ信号源に接続させたとき、そのオーディオ信号源から供給されるオーディオ信号（音声信号）が、左右のスピーカユニット１０，２０内のドライバに信号線を介して供給される構成としてある。即ち、例えば図３に示すように、左側スピーカユニット１０内のドライバ１０ａが、プラグ４１の左チャンネル（Ｌ）電極及び接地（Ｇ）電極と接続させてあり、右側スピーカユニット２０内のドライバ２０ａが、プラグ４１の右チャンネル（Ｒ）電極及び接地（Ｇ）電極と接続させてある。
【００２５】
図１，図２の説明に戻ると、各スピーカユニット１０，２０に内蔵されたドライバの外側にスポンジ状のイヤーパッド１１，２１が取付けてある。スピーカユニット１０，２０の本体部は、樹脂又は金属などで構成される。図２に示すように各スピーカユニット１０，２０のイヤーパッド１１，２１のほぼ中央部が音声出力面１１ａ，２１ａとなって、その内部に図示しないドライバが配置されている。この左右の音声出力面１１ａ，２１ａは、収納状態ではほぼ同一平面状に並ぶようにしてある。
【００２６】
ここで、各スピーカユニット１０，２０とバンド３０との位置関係について説明すると、左側スピーカユニット１０のバンド接続部１２に、バンド３０の端部３１が接続させてあるが、このバンド接続部１２は、ほぼ円形の左側スピーカユニット１０の中心から偏心した位置に設けてある。同様に、右側スピーカユニット２０のバンド接続部２２に、バンド３０の端部３２が接続させてあるが、このバンド接続部２２についても、ほぼ円形の右側スピーカユニット２０の中心から偏心した位置に設けてある。
【００２７】
円形に巻回されたバンド３０の形状としては、約６５０°（即ち約７／４回転）巻回させた形状としてあるが、図１，図２に示すように左右のスピーカユニット１０，２０が重ならない状態の形状としてある。そして、左右のスピーカユニット１０，２０と接続されるバンド３０の端部３１，３２の近傍は、比較的小さな半径で曲線を描く形状としてあり、バンド３０の中央部は、比較的大きな半径で曲線を描く形状としてあり、一方の端部３１の巻回位置と他方の端部３２の巻回位置とが異なる位置になるようにしてある。
【００２８】
次に、このように構成される本例のヘッドホン装置の装着状態について説明する。本例のヘッドホン装置を聴取者が装着する際には、まず図４に示すように、左右のスピーカユニット１０，２０の表面側（音声出力面１１ａ，２１ａとは反対側の面）を上にした状態で、左右のスピーカユニット１０，２０を左右の手で個別に持って、左右上方に開かせる。このように開かせながら、バンド３０を引き伸ばして、図５に示すように、左側スピーカユニット１０の音声出力面１１ａと、右側スピーカユニット２０の音声出力面２１ａとが、約２０cm程度の間隔で対向するような位置となるようにする。
【００２９】
この図５に示すような状態にバンド３０を引き伸ばしたとき、そのバンド３０が元の形状に戻ろうとする力が働く。このとき作用する力は、図５に矢印Ｐ1，Ｐ2，Ｐ3として示すように、主として左右のスピーカユニット１０，２０が元の方向に戻ろうとする力Ｐ1，Ｐ2と、バンド３０の中央部３３が伸びた状態から元の曲がった状態に戻ろうとする力Ｐ3に分けることができる。
【００３０】
また、図５に示すようにバンド３０を引き伸ばしたとき、比較的小さな半径で曲線を描く形状とされたバンドの一方の端部３１と左側スピーカユニット１０との間に、装着者（聴取者）の左の耳介が入る程度の隙間Ｅ1が生じ、同様にバンドの他方の端部３２と右側スピーカユニット２０との間に、装着者の右の耳介が入る程度の隙間Ｅ2が生じる。
【００３１】
ここで、この図５に示すように引き伸ばされた状態のままで、装着者の後頭部にヘッドホン装置を持っていき、上述した隙間Ｅ1に装着者の左の耳介の上部を入れ、隙間Ｅ2に装着者の右の耳介の上部を入れて、左右の耳介の上部後方に、バンド３０の両端部３１，３２が入るようにして、左右の耳介の前面にスピーカユニット１０，２０が位置した状態で、ヘッドホン装置が保持されるようにする。
【００３２】
図６は、このようにして聴取者の頭部にヘッドホン装置を装着させた状態を、三面で示した図である。図６Ａに示すように、正面から見たとき、聴取者の左の耳介ｅ1の前面に、左側スピーカユニット１０が位置し、聴取者の右の耳介ｅ2の前面に、右側スピーカユニット２０が位置している。そして、図６Ｂ及び図６Ｃに示すように、その位置の保持が、耳介ｅ1，ｅ2の上部と頭部との間に位置するバンド３０の端部３１，３２により行われている。
【００３３】
この図６に示すように聴取者の頭部に装着した状態では、図１に示す状態から引き伸ばされたバンド３０が戻ろうとする力（図５に示したＰ1，Ｐ2，Ｐ3）が作用するために、頭部にジャストフィットする。即ち、上面から見た図６Ｃに示すように、図５に示した力Ｐ1が、左側スピーカユニット１０を頭部中央方向に押しつける力として働いて、左側スピーカユニット１０が耳介ｅ1に圧接する。同様に、図５に示した力Ｐ2が、右側スピーカユニット２０を頭部中央方向に押しつける力として働いて耳介ｅ2に圧接するようになる。さらに、図６Ｂ及びＣに示すように、図５に示したバンド３０の中央部３３に働く力Ｐ3が、装着時に後頭部ｈ1を押す力として作用し、バンド３０の中央部３３と後頭部ｈ1との間に隙間が発生しない。
【００３４】
図７は、聴取者の左の耳介ｅ1へのヘッドホン装置の装着状態を拡大して示す図である。スピーカユニット１０のバンド接続部１２は、スピーカユニット１０の中心から前方に偏移しているため、スピーカユニット１０が耳介ｅ1のほぼ中央に位置するように取付けたとき、バンド３０の端部３１は、耳介ｅ1の前方に位置する。そして、耳介ｅ1の前方に位置する端部３１から、比較的小さい半径でバンド３０が耳介ｅ1の上部後方を通って後頭部に回り込むような形状で取付けられることになる。なお、本例の場合には、オーディオ信号源などと接続される信号線４０は、左側スピーカユニット１０のバンド接続部１２の下側から伸びている状態になる。
【００３５】
なお、図６に示すように装着されたヘッドホン装置を聴取者の頭部から外すことで、バンド３０が元の巻回された形状に戻り、図１，図２に示すような円形の形状に自動的に戻る。
【００３６】
このように構成されて装着される本例のヘッドホン装置は、後頭部にバンドが位置するネックバンド方式のヘッドホン装置として、装着感が非常に良好である。即ち、図６の装着例に示すように、バンド３０自体の弾性力で左右のスピーカユニット１０，２０が、左右の耳介ｅ1，ｅ2に押しつけられた状態となって、バンド３０の端部３１，３２が耳介ｅ1，ｅ2の上部を通過して、スピーカユニット１０，２０を支えることになり、左右のスピーカユニット１０，２０の位置が良好に定まる。この装着時に耳介側に押しつける力は、バンド３０が元の形状に戻ろうとする力で決まり、耳介に装着した際に位置が定まる最低限の力に設定することで、長時間装着したままでも快適なリスニングが行える。
【００３７】
また、バンド３０の中央部３３は、後頭部ｈ1側に押しつける力が作用するので、従来のネックバンド方式のヘッドホン装置のように、後頭部とバンドとの間で隙間がほとんど生じることがなく、この点からも装着感が良好になる。特に、装着者の頭の形がどのようなサイズであっても、後頭部に隙間が発生せず、アジャスト機構を設けなくても、全ての装着者にジャストフィットする。
【００３８】
そして、本例のヘッドホン装置は、非装着の状態では、バンド３０の弾性力で自動的に図１，図２に示す小型の円形形状になり、収納スペースを小さくでき、携帯時にも邪魔にならない。この場合、バンド３０の弾性変形を利用しているだけであるため、従来のような蝶番部を設けて折り畳めるようにする機構は全く必要なく、極めてシンプルな構造で実現でき、ヘッドホン装置の低コスト化が図れる。
【００３９】
なお、信号線４０と左右のヘッドホンユニット１０，２０との接続状態としては、従来から知られている各種方式が適用可能である。即ち、例えば図３のＡに示すように、信号線４０として４本の信号線が束ねられたものを使用し、その内の２本で、プラグ４１の左チャンネル（Ｌ）電極及び接地（Ｇ）電極とヘッドホンユニット１０内のドライバとを接続させる。また、残りの２本の信号線をバンド３０内を通した信号線３０ａとして、プラグ４１の右チャンネル（Ｒ）電極及び接地（Ｇ）電極と、ヘッドホンユニット２０内のドライバとを接続させる。
【００４０】
また、例えば図３Ｂに示すように、接地電位（Ｇ）の信号線を、左チャンネルと右チャンネルで共用に使用して、信号線４０として３本の信号線が束ねられたものを使用しても良い。さらに、例えば図３Ｃに示すように、バンド３０内には信号線を挿通させない構成として、プラグ４１から２本に分かれた信号線４１Ｌ，４１Ｒとして、一方の信号線４１Ｌを左側スピーカユニット１０内のドライバに直接接続させ、他方の信号線４１Ｒを右側スピーカユニット２０内のドライバに直接接続させる構成としても良い。
【００４１】
次に、本発明の第２の実施の形態を、図９〜図１１を参照して説明する。第２の実施の形態のヘッドホン装置は、第１の実施の形態で説明したヘッドホン装置のバンドの巻回形状を異なる形状として、収納時の形状がより小型になるようにしたものである。
【００４２】
図９は、本実施の形態によるヘッドホン装置を平面的に示した図である。図９は、ヘッドホン装置の収納時の形状を、表面側（ここでの表面とは音声出力面が裏になった面）の形状を示してある。本例のヘッドホン装置は、左側スピーカユニット５０と右側スピーカユニット６０とを接続させるバンド７０として、約２回転半ほど螺旋状に巻回させた形状としてある。但し、巻き重ねる方向は途中で変えてあり、バンド７０の中央部７５が最も下側になるように巻回させてある。バンド７０は、弾性力を有する部材で構成させてあり、円形に巻回された状態からほぼ直線状に引き伸ばすことができるような材質としてあり、一端部７１が左側スピーカユニット５０に接続させてあり、他端部７２が右側スピーカユニット６０に接続させてある。
【００４３】
バンド７０の構成としては、例えば弾性力を有する金属の線材と、音声信号を伝送させる信号線とを、柔軟性を有する樹脂チューブに挿通させて構成させる。金属の線材としては、例えば形状記憶合金が使用できる。また、ほぼ直線状に引き伸ばした状態から元の巻回形状に戻ることができる弾性変形が可能なものであれば、形状記憶合金以外の金属線を使用しても良い。また、バンド７０の外側の部材として、樹脂チューブの代わりに、細長く袋状に編み上げた繊維で構成されるものを使用しても良い。
【００４４】
左側スピーカユニット５０には、オーディオ信号源と接続するためのプラグ８１が一端に取付けられた信号線８０の他端が接続させてある。この信号線８０は、バンド７０内の信号線を介して右側スピーカユニット６０にも接続してある。
【００４５】
各スピーカユニット５０，６０の内部には、音声信号（オーディオ信号）の供給で音声を出力させるドライバが内蔵させてある。内蔵されたドライバは、例えば直径数センチ程度のものである。プラグ８１をオーディオ信号源に接続させたとき、そのオーディオ信号源から供給されるオーディオ信号（音声信号）が、左右のスピーカユニット５０，６０内のドライバに信号線を介して供給される構成としてある。
【００４６】
各スピーカユニット５０，６０の図９に示した面とは反対側の面には、イヤーパッド（図示せず）が取付けてあり、そのイヤーパッドを介してドライバから出力される音声が装着者の耳に届く。
【００４７】
本例のヘッドホン装置を装着する際には、まず図１０に示すように、左側スピーカユニット５０と右側スピーカユニット６０とを水平方向（矢印ｘ方向及びｙ方向）に引き伸ばす。本例のヘッドホン装置の場合には、図１０に示すように少しだけ引き伸ばしたとき、バンド７０の途中に、２つの巻回部７３，７４が形成された状態になる。
【００４８】
そして、左側スピーカユニット５０と右側スピーカユニット６０との間隔がある程度（例えば２０cm程度）まで引き伸ばしてから、図１１に示すように、左側スピーカユニット５０の音声出力面と、右側スピーカユニット６０音声出力面とが、対向するような位置とする。このような位置関係とすることで、上述した第１の実施の形態で説明したヘッドホン装置の場合と同様に、バンド７０が元の形状に戻ろうとする力が発生して、左側スピーカユニット５０が中心方向に向かう力Ｐ1と、右側スピーカユニット６０が中心方向に向かう力Ｐ2と、バンド７０の中央部７５が装着者の頭部側に押す力Ｐ3とが発生する。
【００４９】
このため、左側スピーカユニット５０とバンド７０の端部７１との間の空間Ｅ1を、装着者の左の耳介の上部に通し、右側スピーカユニット６０とバンド７０の端部７２との間の空間Ｅ2を、装着者の右の耳介の上部に通すことで、第１の実施の形態で説明したヘッドホン装置の場合と同様の良好な装着感で装着することができる。装着状態については、第１の実施の形態で図６に示した装着状態と基本的に同じである。
【００５０】
このように、第２の実施の形態のヘッドホン装置を使用することで、収納時の形状をより小型化することができ、例えば携帯用として好適である。
【００５１】
次に、本発明の第３の実施の形態を、図１２〜図１４を参照して説明する。第３の実施の形態のヘッドホン装置は、ヘッドホンユニットとして、バーティカル・イン・ザ・イヤー方式（以下バーティカル方式と称する）のものを使用したものである。このバーティカル方式の場合には、ヘッドホンユニット内の音声出力面を、耳介の耳孔に対して直角に装着するものである。
【００５２】
図１２は、本実施の形態によるヘッドホン装置を平面的に示した図である。図１２は、ヘッドホン装置の収納時の形状を、表面側の形状を示してある。本例のヘッドホン装置は、左側スピーカユニット１１０と右側スピーカユニット１２０として、上述したようにバーティカル方式のものを使用してあり、スピーカユニット１１０，１２０が内蔵するドライバは、直径１６mm程度の比較的小径のものが使用され、装着者の耳孔にユニットの先端を若干挿入させることができる形状としてある。スピーカユニット１１０，１２０を構成する筐体は、樹脂成形で構成される。
【００５３】
本例で使用されるバンド１３０としては、約６５０°（即ち約７／４回転）巻回させた形状の、第１の実施の形態で説明したバンド３０と同様の形態のものが使用される。バンド１３０は、弾性力を有する部材で構成させてあり、円形に巻回された状態からほぼ直線状に引き伸ばすことができるような材質としてあり、一端部１３１が左側スピーカユニット１１０に接続させてあり、他端部１３２が右側スピーカユニット１２０に接続させてある。一端部１３１及び他端部１３２の近傍では、バンド１３０は比較的小さな半径で巻回させてあり、中央部１３３では、比較的大きな半径で巻回させてある。
【００５４】
バンド１３０の構成としては、例えば弾性力を有する金属の線材と、音声信号を伝送させる信号線とを、柔軟性を有する樹脂チューブに挿通させて構成させる。金属の線材としては、例えば形状記憶合金が使用できる。また、ほぼ直線状に引き伸ばした状態から元の巻回形状に戻ることができる弾性変形が可能なものであれば、形状記憶合金以外の金属線を使用しても良い。また、バンド７０の外側の部材として、樹脂チューブの代わりに、細長く袋状に編み上げた繊維で構成されるものを使用しても良い。
【００５５】
左側スピーカユニット１１０には、オーディオ信号源と接続するためのプラグが一端に取付けられた信号線１４０の他端が接続させてある。この信号線１４０は、バンド１３０内の信号線を介して右側スピーカユニット１２０にも接続してある。
【００５６】
各スピーカユニット１１０，１２０の内部には、音声信号（オーディオ信号）の供給で音声を出力させるドライバが内蔵させてある。この場合、本例のヘッドホン装置はバーティカル方式であり、ドライバからの音声出力面１１１，１２１が図１２ではほぼ直立した状態となっている。そして、信号線１４０の先端のプラグをオーディオ信号源に接続させたとき、そのオーディオ信号源から供給されるオーディオ信号（音声信号）が、左右のスピーカユニット１１０，１２０内のドライバに信号線を介して供給される構成としてある。
【００５７】
本例のヘッドホン装置の装着状態について説明すると、本例のヘッドホン装置を聴取者が装着する際には、左右のスピーカユニット１１０，１２０を左右の手で個別に持って、左右上方に開かせながら、バンド１３０を引き伸ばして、図１３に示すように、左側スピーカユニット１１０の音声出力面１１１と、右側スピーカユニット１２０の音声出力面１２１とが、約２０cm程度の間隔で平行に並ぶような位置となるようにする。
【００５８】
この図１３に示すような状態にバンド１３０を引き伸ばしたとき、そのバンド１３０が元の円形形状に戻ろうとする力が働く。このとき作用する力は、図１３に矢印Ｐ1，Ｐ2，Ｐ3として示すように、主として左右のスピーカユニット１１０，１２０が元の方向に戻ろうとする力Ｐ1，Ｐ2と、バンド１３０の中央部１３３が伸びた状態から元の曲がった状態に戻ろうとする力Ｐ3に分けることができる。
【００５９】
また、図１３に示すようにバンド１３０を引き伸ばしたとき、比較的小さな半径で曲線を描く形状とされたバンドの一方の端部１３１と左側スピーカユニット１０との間に、装着者（聴取者）の左の耳介が入る程度の隙間Ｅ1が生じ、同様にバンドの他方の端部１３２と右側スピーカユニット１２０との間に、装着者の右の耳介が入る程度の隙間Ｅ2が生じる。
【００６０】
ここで、この図１３に示すように引き伸ばされた状態のままで、装着者の後頭部にヘッドホン装置を持っていき、上述した隙間Ｅ1に装着者の左の耳介の上部を入れ、隙間Ｅ2に装着者の右の耳介の上部を入れて、左右の耳介の上部後方に、バンド１３０の両端部１３１，１３２が入るようにして、左右の耳介の前面にスピーカユニット１１０，１２０が位置した状態で、ヘッドホン装置が保持されるようにする。
【００６１】
図１４は、このようにして聴取者の頭部にヘッドホン装置を装着させた状態を、三面で示した図である。図１４Ａに示すように、正面から見たとき、聴取者の左の耳介ｅ1の前面に、左側スピーカユニット１１０が位置し、聴取者の右の耳介ｅ2の前面に、右側スピーカユニット１２０が位置している。このとき、それぞれのスピーカユニット１１０，１２０の音声出力面１１１，１２１が正面を向いている。そして、図１４Ｂ及び図１４Ｃに示すように、その位置の保持が、耳介ｅ1，ｅ2の上部と頭部との間に位置するバンド１３０の端部１３１，１３２により行われている。なお、左側スピーカユニット１１０に接続された信号線１４０の先端にプラグ１４１が取付けてある。
【００６２】
この図１４に示すように聴取者の頭部に装着した状態では、図１２に示す状態から引き伸ばされたバンド１３０が戻ろうとする力（図１３に示したＰ1，Ｐ2，Ｐ3）が作用するために、頭部にジャストフィットする。即ち、上面から見た図１４Ｃに示すように、図１３に示した力Ｐ1が、左側スピーカユニット１１０を頭部中央方向に押しつける力として働いて、左側スピーカユニット１１０が耳介ｅ1に圧接する。同様に、図１３に示した力Ｐ2が、右側スピーカユニット１２０を頭部中央方向に押しつける力として働いて耳介ｅ2に圧接するようになる。さらに、図１４Ｂ及びＣに示すように、図１３に示したバンド１３０の中央部１３３に働く力Ｐ3が、装着時に後頭部ｈ1を押す力として作用し、バンド１３０の中央部１３３と後頭部ｈ1との間に隙間が発生しない。
【００６３】
このように装着されることで、第１の実施の形態で説明したヘッドホン装置の場合と同様の良好な装着感で装着することができる。また、収納時には、バンドの力で自動的に図１２に示す小型形状となり、収納スペースを小さくすることができ、また携帯用としても好適である。なお、この第３の実施の形態で説明したような形状のバーティカル方式のスピーカユニットを、第２の実施の形態で説明したような二重に螺旋状に巻回させたバンドで接続させて、より小型に収納されるようにしても良い。
【００６４】
なお、第３の実施の形態では、スピーカユニットの音声出力面が装着者の正面を向くバーティカル方式のヘッドホン装置としたが、例えば直径１６mm又は９mm程度のドライバを内蔵したスピーカユニットを、耳孔に直接挿入させて装着させる、いわゆるインナーイヤー方式のヘッドホン装置に、同様のバンドを取付けるようにしても良い。
【００６５】
また、ここまで説明した第１，第２，第３の実施の形態では、左右のスピーカユニットと接続されたバンドの端部の近傍が、直接的に装着者の耳介の後方に配置させて、スピーカユニットが耳に掛けられる構成としたが、バンド自体は耳介の下部を通過するようにして、スピーカユニット又はバンドに取付けられた別体の支え部材で、耳介に取付けられるようにしても良い。
【００６６】
即ち、例えば図１５に示すように、スピーカユニット１０′のバンド接続部１２の下側でバンド３０′の端部３４を接続させ、バンド３０′の途中の支え接続部３５から、樹脂などで構成される支え部材３６を上方に伸ばす構成として、その支え部材３６が耳介ｅ1の上部後方に掛かるようにして、耳介に装着されるようにしても良い。
【００６７】
また、例えば図１６に示すように、スピーカユニット１０″のバンド接続部１２の下側でバンド３０″の端部３４を接続させ、バンド接続部１２の上側から樹脂などで構成される支え部材３７を上方に伸ばす構成として、その支え部材３７が耳介ｅ1の上部後方に掛かるようにして、耳介に装着されるようにしても良い。
【００６８】
また、第３の実施の形態で説明したようなバーティカル方式のスピーカユニットの場合には、バンドを耳介の下側に通すような形状とした場合であっても、耳介の耳孔にスピーカユニットが嵌まるため、特に支えとなる部材を設けない形状とすることも可能である。
【００６９】
また、上述した各実施の形態で説明したヘッドホンユニットやバンドの形状については、例を示したものであり、その他の形状のものを適用しても良い。さらに、一方のヘッドホンユニットとプラグとを接続する信号線の途中などに、マイクロホンを取付けて、携帯電話端末などに使用されるヘッドホン装置（いわゆるヘッドセット）としても良い。
【符号の説明】
【００７０】
１０，１０′，１０″…左側スピーカユニット、１０ａ…ドライバ、１１…イヤーパッド、１１ａ…音声出力面、１２…バンド接続部、２０…右側スピーカユニット、２０ａ…ドライバ、２１…イヤーパッド、２１ａ…音声出力面、２２…バンド接続部、３０，３０′，３０″…バンド、３０ａ…信号線、３１，３２…端部、３３…中間部、３４…端部、３５…支え接続部、３６，３７…支え部材、４０…信号線、４１…プラグ、４２…接続部、５０…左側スピーカユニット、６０…右側スピーカユニット、７０…バンド、７１，７２…端部、７３，７４…巻回部、７５…中間部、８０…信号線、８１…プラグ、１１０…左側スピーカユニット、１１１…音声出力面、１２０…右側スピーカユニット、１２１…音声出力面、１３０…バンド、１３１，１３２…端部、１３３…中間部、１４０…信号線、ｅ1，ｅ2…耳介、ｈ1…後頭部
【図１】
2011244482.tif 000003
【図２】
2011244482.tif 000004
【図３】
2011244482.tif 000005
【図４】
2011244482.tif 000006
【図５】
2011244482.tif 000007
【図６】
2011244482.tif 000008
【図７】
2011244482.tif 000009
【図８】
2011244482.tif 000010
【図９】
2011244482.tif 000011
【図１０】
2011244482.tif 000012
【図１１】
2011244482.tif 000013
【図１２】
2011244482.tif 000014
【図１３】
2011244482.tif 000015
【図１４】
2011244482.tif 000016
【図１５】
2011244482.tif 000017
【図１６】
2011244482.tif 000018
【図１７】
2011244482.tif 000019
【図１８】
2011244482.tif 000020
【図１９】
2011244482.tif 000021